(57)【要約】【課題】屋根上や道路上において、ハンドルを持って除雪器体を押動し、前方の雪を底板及び左右の側板の前縁部により切截しながら除雪器体内に取り込むに際し、この除雪具の少なくとも一方側部に雪切体が立設されていることにより、雪切体により側板よりも高い位置の一方側部の雪を切截することができ、この切截により雪切体の上方には雪のひび割れが生ずることもあり、このため、積雪高さが側板よりも高い場合にあっても、除雪器体内に雪を良好に取り込むことができ、雪切体による切截及びひび割れにより不意に崩れ落ちることを抑制することができ、除雪作業効率を高めることができる。【解決手段】底板２ａ、左右の側板２ｂ、後板２ｃからなる除雪器体２及び後部に突設したハンドル３からなる除雪具１において、除雪具の少なくとも一方側部に雪切体４を立設してなる。【選択図】図１
2007182672.tif 000002
【特許請求の範囲】
【請求項１】
底板、左右の側板、後板からなる除雪器体及び後部に突設したハンドルからなる除雪具において、上記除雪具の少なくとも一方側部に雪切体を立設してなることを特徴とする除雪具。
【請求項２】
上記雪切体を上記除雪具に着脱自在に設けてなることを特徴とする請求項１記載の除雪具。
【請求項３】
上記雪切体を上記除雪具の両側部に交換自在に設けてなることを特徴とする請求項２記載の除雪具。
【請求項４】
上記雪切体に通穴を設けてなることを特徴とする請求項１〜３のいずれか１項に記載の除雪具。
【発明の詳細な説明】
【技術分野】
【０００１】
本発明は例えば降雪地域において屋根上や道路上の雪を除雪する際に用いられる除雪具に関するものである。
【背景技術】
【０００２】
従来、この種の除雪具として、底板、左右の側板及び後板からなる金属製又は合成樹脂製の除雪器体の後部にハンドルを突設してなる、所謂スノーダンプと称する構造のものが知られている。
【０００３】
しかして、屋根上や道路上において、作業者はハンドルを持って除雪器体を押動することにより前方の雪を底板の前縁部及び左右の側板の前縁部により切截しながら除雪器体内に取り込み、除雪器体内に取り込まれた雪を所定位置に運搬して廃棄することになる。
【特許文献１】実開昭６２−１８１６１６号公報
【特許文献２】実開昭６３−６５７２１号公報
【発明の開示】
【発明が解決しようとする課題】
【０００４】
しかしながらこれら従来構造の場合、上記除雪器体の側板の高さは人力による取込量を考慮して比較的低い高さに設定されており、積雪高さが高くなると、側板よりも側部上方の雪が除雪器体内に取り込まれた雪の上に不意に崩れ落ちることがあり、このため、大量の雪が崩れ落ちたとすると、作業者の腰を痛めたり、屋根上から除雪具と一緒に落ちて怪我をするおそれがあり、また、除雪器体内への雪の取込量も不揃いとなり易く、それだけ、除雪作業効率が低下することがあるという不都合を有している。
【課題を解決するための手段】
【０００５】
本発明はこれらの不都合を解決することを目的とするもので、本発明のうちで、請求項１記載の発明は、底板、左右の側板、後板からなる除雪器体及び後部に突設したハンドルからなる除雪具において、上記除雪具の少なくとも一方側部に雪切体を立設してなることを特徴とする除雪具にある。
【０００６】
又、請求項２記載の発明にあっては、上記雪切体を上記除雪具に着脱自在に設けてなることを特徴とするものであり、又、請求項３記載の発明は、上記雪切体を上記除雪具の両側部に交換自在に設けてなることを特徴とするものであり、又、請求項４記載の発明は、上記雪切体に通穴を設けてなることを特徴とするものである。
【発明の効果】
【０００７】
本発明は上述の如く、請求項１記載の発明にあっては、屋根上や道路上において、ハンドルを持って除雪器体を押動し、前方の雪を底板及び左右の側板の前縁部により切截しながら除雪器体内に取り込むに際し、この除雪具の少なくとも一方側部に雪切体が立設されていることにより、雪切体により側板よりも高い位置の一方側部の雪を切截することができ、この切截により雪切体の上方には雪のひび割れが生ずることもあり、このため、積雪高さが側板よりも高い場合にあっても、除雪器体内に雪を良好に取り込むことができ、雪切体による切截及びひび割れにより不意に崩れ落ちることを抑制することができ、作業者の腰を痛めたり、屋根上から除雪具と一緒に落ちて怪我をするおそれを回避することができ、かつ、略四角ブロック状に揃った雪を除雪器体内に取り込むことができ、それだけ、容易かつ整然と雪を取り込むことができ、除雪作業効率を高めることができる。
【０００８】
又、請求項２記載の発明にあっては、上記雪切体を上記除雪具に着脱自在に設けてなるから、雪切体を必要に応じて着脱することができ、使用の融通性を高めることができ、又、請求項３記載の発明にあっては、上記雪切体を上記除雪具の両側部に交換自在に設けてなるから、使用条件や使用勝手により上記雪切体を上記除雪具の両側部に交換自在に取り付けることができ、作業の融通性を高めることができ、又、請求項４記載の発明にあっては、上記雪切体に通穴を設けてなるから、通穴の存在により雪切板への雪の付着を抑制することができ、それだけ、雪切体による雪の切截を良好に行うことができる。
【発明を実施するための最良の形態】
【０００９】
図１乃至図１０は本発明の実施の形態例を示し、図１乃至図４は第一形態例、図５、図６は第二形態例、図７、図８は第三形態例、図９は第四形態例、図１０は第五形態例である。
【００１０】
図１乃至図４の第一形態例において、１は除雪具であって、除雪器体２及びハンドル３からなり、この除雪器体２は金属製にして底板２ａ、左右の側板２ｂ・２ｂ、後板２ｃからなり、ハンドル３はＵ状の把手杆３ａ、補強杆３ｂ、足掛杆３ｃからなり、この除雪器体２の後部にハンドル３の把手杆３ａの両先端部を溶接により固着して形成されている。
【００１１】
４は雪切体、５は着脱機構であって、この場合、ステンレス鋼板等の金属薄板製にして、上記左右の側板２ｂ・２ｂのうち、一方の側板２ｂに着脱機構５により着脱自在に立設固定され、この場合、着脱機構５は、雪切体４及び押さえ板５ａに貫通穴４ａ・５ｄを形成し、押さえ板５ａ、ネジ５ｂ及びナット５ｃにより雪切体４と押さえ板５ａとによりネジ５ｂ及びナット５ｃで側板２ｂの上縁部を挟着することにより固定すると共にネジ５ｂ及びナット５ｃを取り外すことにより雪切体４を取り外し可能に構成している。尚、着脱機構５を用いずに、雪切体４を溶接等により除雪具１に立設固着形成することもある。
【００１２】
この実施の第一形態例は上記構成であるから、屋根上や道路上において、ハンドル３を持って除雪器体２を押動し、前方の雪Ｓを底板２ａ及び左右の側板２ｂ・２ｂの前縁部により切截しながら除雪器体２内に取り込むに際し、この除雪具１の少なくとも一方側部に雪切体４が立設されていることにより、図４の如く、雪切体４により側板２ｂよりも高い位置の一方側部の雪Ｓを切截することができ、この切截により雪切体４の上方には雪のひび割れが生ずることもあり、このため、積雪高さが側板２ｂよりも高い場合にあっても、除雪器体２内に雪Ｓを良好に取り込むことができ、雪切体４による切截及びひび割れにより不意に崩れ落ちることを抑制することができ、作業者の腰を痛めたり、屋根上から除雪具１と一緒に落ちて怪我をするおそれを回避することができ、かつ、略四角ブロック状に揃った雪Ｓを除雪器体２内に取り込むことができ、それだけ、容易かつ整然と雪を取り込むことができ、除雪作業効率を高めることができる。
【００１３】
又、この場合、上記雪切体４を上記除雪具１に着脱自在に設けてなるから、雪切体４をネジ５ｂ及びナット５ｃにより必要に応じて着脱することができ、使用の融通性を高めることができる。
【００１４】
図５、図６の第二形態例は着脱機構５の別例構造を示し、この場合、側板２ｂ及び雪切体４に貫通穴２ｄ・４ａを形成し、貫通穴２ｄ・４ａを用いて、ネジ５ｂ及びナット５ｃにより除雪器体２の側板２ｂに取付ける構造となっている。
【００１５】
この実施の第二形態例は上記構成であるから、上記第一形態例と同様な作用効果を得ることができると共にネジ５ｂ及びナット５ｃにより雪切体４を必要に応じて着脱することができる。
【００１６】
図７、図８の第三形態例は着脱機構５の別例構造を示し、この場合、上記ハンドル３の把手杆３ａの両先端部に取付板３ｄが溶接固着され、側板２ｂに貫通穴２ｄを形成し、この取付板３ｄに貫通穴３ｅを形成し、ネジ５ｂを貫通穴４ａ・２ｄ・３ｅに挿通し、雪切体４をネジ５ｂ及びナット５ｃにより除雪器体２の側板２ｂにハンドル３と一緒に取り付ける構造となっており、貫通穴４ａ・２ｄ・３ｅを用いて、雪切体４と取付板３ｄとで側板４ｂを挟着し、ネジ５ｂ及びナット５ｃにより着脱自在に固定するように構成している。
【００１７】
この実施の第三形態例は上記構成であるから、上記第一形態例と同様な作用効果を得ることができると共にネジ５ｂ及びナット５ｃにより雪切体４を必要に応じて着脱することができる。
【００１８】
図９の第四形態例は別例構造を示し、この場合、上記第一形態例の着脱機構５を採用し、この着脱機構５により上記雪切体４を上記除雪具１の左右の側板２ｂに交換自在に設けて構成している。
【００１９】
この場合、上記雪切体４を二個用意し、二個の雪切体４・４を両側部に固定した構造としてもよい。
【００２０】
この実施の第四形態例は上記構成であるから、使用条件や使用勝手により上記雪切体４を上記除雪具１の両側部に交換自在に取り付けることができ、作業の融通性を高めることができる。
【００２１】
図１０の第五形態例は別例構造を示し、この場合、上記雪切体４に通穴４ａを設けた構造となっている。
【００２２】
この実施の第五形態例は上記構成であるから、上記第一形態例と同様な作用効果を得ることができると共に上記通穴４ａの存在により雪切板４への雪の付着を抑制することができ、それだけ、雪切体４による雪の切截を良好に行うことができる。
【００２３】
尚、本発明は上記実施の形態例に限られるものではなく、例えば、合成樹脂製、その他の材質からなる除雪具１に適用したり、雪切体４の形状や材質、着脱機構５の構造等は適宜変更して設計されるものである。
【００２４】
以上、所期の目的を充分達成することができる。
【図面の簡単な説明】
【００２５】
【図１】本発明の実施の第一形態例の全体斜視図である。
【図２】本発明の実施の第一形態例の部分分解斜視図である。
【図３】本発明の実施の第一形態例の部分断面図である。
【図４】本発明の実施の第一形態例の使用状態の説明断面図である。
【図５】本発明の実施の第二形態例の部分斜視図である。
【図６】本発明の実施の第二形態例の部分断面図である。
【図７】本発明の実施の第三形態例の部分側面図である。
【図８】本発明の実施の第三形態例の部分断面図である。
【図９】本発明の実施の第四形態例の全体斜視図である。
【図１０】本発明の実施の第五形態例の部分斜視図である。
【符号の説明】
【００２６】
Ｓ    雪
１    除雪具
２    除雪器体
３    ハンドル
４    雪切体
４ａ  通穴
５    着脱機構
【図１】
2007182672.tif 000003
【図２】
2007182672.tif 000004
【図３】
2007182672.tif 000005
【図４】
2007182672.tif 000006
【図５】
2007182672.tif 000007
【図６】
2007182672.tif 000008
【図７】
2007182672.tif 000009
【図８】
2007182672.tif 000010
【図９】
2007182672.tif 000011
【図１０】
2007182672.tif 000012